(57)【要約】【課題】ランプユニットに設けられた回転リフレクタにおける重量バランスの不均衡を是正して、高品質のスキャンを可能にする。【解決手段】光源から出射された光を回転しながら反射して所定方向にスキャンする回転リフレクタ２２を備えたランプユニットであり、回転リフレクタ２２は、モーター２１の回転軸２１１に取り付けられるボス２２２と、このボス２２２に一体的に設けられた２枚の光反射ブレード２２１を備えており、ボス２２２又は光反射ブレード２２１には回転リフレクタ２２の重量バランスを調整するための重量バランス調整手段４（Ｅリング４１）が取着される。【選択図】  図３
2019003909.tif 000002
【特許請求の範囲】
【請求項１】
光源から出射された光を回転しながら反射して所定方向にスキャンする回転リフレクタを備えたランプユニットであって、前記回転リフレクタには重量バランスを調整するための重量バランス調整手段を備えていることを特徴とするランプユニット。
【請求項２】
前記回転リフレクタは、モーター回転軸に取り付けられるボスと、このボスに一体的に設けられた少なくとも１枚の光反射ブレードを備えており、前記重量バランス調整手段は前記ボス又は前記光反射ブレードに設けられる請求項１に記載のランプユニット。
【請求項３】
前記重量バランス調整手段は、前記ボスに取り付けられるＥリング、Ｃリング等の非対称形状のリング部材である請求項１又は２に記載のランプユニット。
【請求項４】
前記重量バランス調整手段は、前記光反射ブレードに設けられ、樹脂等の重り部材が注入可能な凹部である請求項１又は２に記載のランプユニット。
【請求項５】
前記重量バランス調整手段は、前記光反射ブレードに設けられ、適宜に削除することが可能な凸部である請求項１又は２に記載のランプユニット。
【請求項６】
前記重量バランス調整手段は、前記光反射ブレードに設けられ、回転リフレクタの径方向に曲げ加工可能な凸片である請求項１又は２に記載のランプユニット。
【発明の詳細な説明】
【技術分野】
【０００１】
本発明は光反射ブレードを回転させながら光源の光を反射する回転リフレクタを備え、この回転リフレクタにより反射光をスキャン（走査）して照明を行うランプユニットに関するものである。
【背景技術】
【０００２】
自動車等の車両の灯具、特にヘッドランプとして、発光素子から出射された光を車両の前方領域に向けて高速にスキャンして照明を行う方式のものが提案されている。特許文献１では、発光素子から出射された光の入射角が、回転に伴って連続的に変化するように光反射面が構成された回転リフレクタ（光反射ブレード）を備えた技術が提案されている。回転リフレクタの回転に伴って光源からの光の入射角が変化され、これに対応して反射光の反射角が変化されるため、回転リフレクタの反射光を自動車の前方に向けて照射することにより、車両前方領域を反射光でスキャンして照明することが可能とされている。
【先行技術文献】
【特許文献】
【０００３】
【特許文献１】特開２０１７−５９５４６号公報
【発明の概要】
【発明が解決しようとする課題】
【０００４】
特許文献１では、回転リフレクタを回転駆動する駆動源としてモーターが用いられているが、モーターの回転軸に連結した回転リフレクタに径方向及び周方向の重量バランスの不均衡が生じていると、回転された回転リフレクタの回転速度にむらが生じ、あるいは回転リフレクタが波状に回転する（波打ち現象）ことがある。
【０００５】
このように、回転リフクレクタにおける重量バランスの不均衡により、回転リフレクタの回転速度むらが生じると、回転リフレクタで反射された光束のスキャン速度にばらつきが正直均一なスキャンができなくなる。また、回転リフレクタの回転に波打ち現象が生じると、光源から回転リフレクタに入射される光の入射角に誤差が生じ、直線的なスキャンができなくなる。
【０００６】
本発明の目的は、回転リフレクタにおける重量バランスの不均衡を是正して、高品質のスキャンを可能にしたランプユニットを提供することにある。
【課題を解決するための手段】
【０００７】
本発明は、光源から出射された光を回転しながら反射して所定方向にスキャンする回転リフレクタを備えたランプユニットであって、当該回転リフレクタには重量バランスを調整するための重量バランス調整手段を備えている。回転リフレクタは、モーター回転軸に取り付けられるボスと、このボスに一体的に設けられた少なくとも１枚の光反射ブレードを備えており、重量バランス調整手段はボス又は光反射ブレードに設けられる。
【０００８】
重量バランス調整手段は、例えば、ボスに取り付けられるＥリング、Ｃリング等の非対称形状のリング部材、光反射ブレードに設けられて樹脂等の重り部材が注入可能な凹部、光反射ブレードに設けられて適宜に削除することが可能な凸部、光反射ブレードに設けられて回転リフレクタの径方向に曲げ加工可能な凸片で構成されることが好ましい。
【発明の効果】
【０００９】
本発明によれば、回転リフレクタに重量バランスの不均衡が生じている場合でも、重量バランス調整手段を用いて重量バランスを均衡状態に調整することができ、ランプユニットにおける高品質のスキャンが実現できる。
【図面の簡単な説明】
【００１０】
【図１】実施形態１のランプユニットの概略斜視図。
【図２】実施形態１のランプユニットの一部を破断した平面図。
【図３】実施形態１のリフレクタ部の一部を破断した斜視図。
【図４】実施形態１のリフレクタ部の縦断面図。
【図５】実施形態１における回転リフレクタの表面図と、重量バランス調整を説明する要部の分解斜視図。
【図６】実施形態２における回転リフレクタの表面図と、重量バランス調整を説明する要部の斜視図。
【図７】実施形態３における回転リフレクタの裏面図と、重量バランス調整を説明する要部の斜視図。
【図８】実施形態４における回転リフレクタの断面図と、重量バランス調整を説明する断面図。
【発明を実施するための形態】
【００１１】
次に、本発明の実施の形態について図面を参照して説明する。図１は本発明を自動車のヘッドランプのランプユニットＬＵとして構成した実施形態１の概略斜視図、図２はその一部を破断した平面図である。このランプユニットＬＵは、例えばＡＤＢ（Adaptive Driving Beam）配光制御、すなわち自動車の走行状況に応じてヘッドランプの照明領域と非照明領域を適応制御可能なスキャン式のランプユニットとして構成されており、光源部１と、リフレクタ部２と、投影レンズ部３を１つのユニットとして一体的に構成したものである。
【００１２】
このランプユニットＬＵの概略構成を説明する。前記光源部１は平面視でほぼＬ字型をしたヒートシンク１２を有しており、このヒートシンク１２の内側の壁面の一部に光源としてのＬＥＤ（発光ダイオード）１１が搭載されている。前記ヒートシンク１２は外面の一部に複数の放熱フィン１３が形成されており、搭載しているＬＥＤ１１が発光したときに発生する熱をヒートシンク１２及び放熱フィン１３から外部空間に放熱させる。
【００１３】
前記ＬＥＤ１１は、詳細な図示は省略するが、複数のＬＥＤチップ、例えば９個のＬＥＤチップを所定形状に配列した複合型ＬＥＤとして構成されており、各ＬＥＤチップは発光したときに白色光を出射し、各ＬＥＤチップからの白色光は一体に合成された光束としてＬＥＤ１１から出射される。９個のＬＥＤチップはランプユニットＬＵに要求される光度を満たすために設けられているので、当該要求される光度を満たすのであればＬＥＤチップはこれよりも少ない個数あるいは多い個数であってもよい。また、ディスクリートＬＥＤで構成されてもよい。さらには、集光用レンズや集光用リフレクタを一体に構成したＬＥＤユニットとして構成されてもよい。
【００１４】
前記リフレクタ部２は、モーター２１と、このモーター２１により回転駆動される回転リフレクタ２２とで構成されており、ステム１４により前記ヒートシンク１２に支持されている。これらモーター２１と回転リフレクタ２２の詳細については後述するが、回転リフレクタ２２は２枚の半円形をした光反射ブレード２２１（以下、ブレードと略称する）を円周配置した略円板状に構成されており、その中心のボス２２２において前記モーター２１の回転軸２１１に取り付けられている。これにより、モーター２１を駆動したときに回転リフレクタ２２は回転軸２１１の回りに回転駆動される。
【００１５】
前記投影レンズ部３は、円形レンズの一部を切除した形状の投影レンズ３１を備えている。この投影レンズ３１はレンズホルダ３２及びステム３３により前記ヒートシンク１２に支持されており、後述するように、前記したリフレクタ部２の回転リフレクタ２２によって反射された光をランプユニットＬＵの前方に向けて投影し、自動車の前方を照射するようになっている。投影レンズ３１はスキャンに必要な部位のみを残し、その他の部位を切除することにより、レンズの小型化ないしランプユニットの小型化、軽量化が実現できる。
【００１６】
前記回転リフレクタ２２について説明する。図３はリフレクタ部２の斜視図であり、後述するケーシング２３の一部を破断した分解斜視図である。前記したように、ボス２２２に２枚の半円形をしたブレード２２１が支持されており、全体としてほぼ円板状に形成されている。各ブレード２２１は表面、すなわち自動車の前方に向けられている図３の上側を向いた面が光反射面として構成されている。ここでは、２枚のブレード２２１は前記ボス２２２と共に樹脂成形により一体形成されており、少なくとも両ブレード２２１の表面にアルミニウム膜を蒸着、メッキ等した光反射膜が形成されている。２枚のブレード２２１の円周方向の間にはそれぞれ径方向に伸びる隙間が設けられており、この隙間は光反射を行わない無反射領域として構成されている。
【００１７】
２枚のブレード２２１はボス２２２を中心とした点対称の形状であり、光反射面としての表面の径方向の傾斜角度、すなわち前記モーター２１の回転軸２１１の軸方向と垂直な面に対する傾斜角度が、円周方向に沿って連続的に変化する構成とされている。ここでは、ブレード２２１を表面方向から見たときに、時計方向側では傾斜角度が裏面側に傾斜した負の角度であり、反時計側では傾斜角度が表面側に傾斜した正の角度に構成されている。
【００１８】
以上、概略説明したランプユニットＬＵは、ヘッドランプが自動車に装備された状態では、図２に示した前記投影レンズ３１のレンズ光軸Ｌｘが自動車の前後方向に向くように配置される。また、前記ＬＥＤ１１は、各ＬＥＤチップから出射される光束の出射光軸Ａｘが前記レンズ光軸Ｌｘに対して水平方向にほぼ直角な方向に向けられている。前記リフレクタ部２は、前記モーター２１の回転軸２１１が当該出射光軸Ａｘと前記レンズ光軸Ｌｘのそれぞれに対して水平方向にほぼ４５度の角度で交差する方向に向けられるとともに、前記回転リフレクタ２２の各ブレード２２１の反射面が前記出射光軸Ａｘと前記レンズ光軸Ｌｘの交点を通るように形成されている。
【００１９】
そして、ＬＥＤ１１を発光すると、各ＬＥＤチップから出射された光は１つの光束となって回転リフレクタ２２のブレード２２１の表面に投射され、ここで反射される。反射された光束は投影レンズ３１に入射され、ここで屈折されながらランプユニットＬＵの前方、すなわち自動車の前方に向けて投影され、自動車の前方領域を照射する。
【００２０】
回転リフレクタ２２のブレード２２１はモーター２１により回転され、ブレード２２１の表面に対するＬＥＤ１１からの光束が入射される位置は円周方向に変化する。前記したようにブレード２２１の表面の傾斜角度は円周方向に変化しているので、ブレード２２１の回転に伴って入射する光束の入射角が変化される。これにより、ブレード２２１で反射される光束の反射角、すなわちレンズ光軸Ｌｘに対する水平方向の角度が変化される。したがって、投影レンズ３１を透過する光束は水平方向に偏向され、自動車の前方領域に向けてスキャン（走査）されながら照射されることになる。
【００２１】
すなわち、ＬＥＤ１１から光束が経時的に連続して出射されているときには、当該光束は回転リフレクタ２２の回転に追従して、図１と図２に示すように、水平方向Ｓに高速でスキャンされる。このスキャン速度は高速であるので、人間の眼においては水平方向にスキャンされた領域を照明する配光となる。したがって、このスキャンに同期してＬＥＤ１１の発光光度（光度零の消光を含む）をタイミング制御することにより、スキャンする水平方向の光度を変化させることができ、例えば所望の領域のみを照明し、他の領域の光度を低下ないし消灯するＡＤＢ配光制御が実現できる。また、複数のＬＥＤチップ発光光度をそれぞれ独立してタイミング制御することにより、より細かい光度分布のＡＤＢ配光制御が実現できる。
【００２２】
なお、回転リフレクタ２２においては、１枚のブレード２２１の回転により１回のスキャンが行われので、２枚のブレード２２１で構成されているこの実施形態の回転リフレクタ２２では、回転リフレクタ２２の１回転で２回のスキャンが行われる。２枚のブレード２２１の円周方向の間に隙間が設けられているので、光の反射が１枚のブレード２２１から他の１枚のブレード２２１に移る際に、この隙間では光反射が行われることはなく、各スキャンの間に光束が反対方向にスキャンされるようなことはない。
【００２３】
回転リフレクタ２２を回転駆動する前記モーター２１について説明する。図４は前記リフレクタ部２の縦断面図である。図４と図３を参照すると、モーター２１は、コイル（巻線）２４１を有するステータ２４と、このステータ２４の周囲に配設されたマグネット（永久磁石）２５１を有するローター２５とからなるアウターローター型のブラシレスモーターとして構成されている。
【００２４】
前記モーター２１は硬質樹脂からなるケーシング２３を備えている。このケーシング２３は、底面が二段に凹設された円形容器状とされ、このケーシング２３の底面に中空円筒状の軸受筒２３１が突出した状態で一体成形されている。この軸受筒２３１の筒内には、筒軸方向に沿って一対のラジアルボールベアリング（以下、単にボールベアリングと称する）２６が離間配置されている。モーター２１の回転軸２１１は、前記軸受筒２３１に内挿されており、この軸受筒２３１内において前記一対のボールベアリング２６により軸転可能に支持されている。
【００２５】
前記ケーシング２３の内底面上には所要の平面領域にわたって回路基板２７が配設支持されている。この回路基板２７は例えばプリント配線基板で構成されており、その一部には前記軸受筒２３１の外径に位置するように筒部２７１が一体に設けられている。この筒部２７１の周面にはコアに導線を巻回した複数のコイル２４１が配置されており、ここでは６つのコイル２４１が円周配置されている。各コイル２４１はそれぞれ前記回路基板２７に設けられたプリント配線（図示せず）に電気接続され、給電が行われるようになっている。
【００２６】
一方、前記回転軸２１１には前記ステータ２４を構成している前記６つのコイル２４１を覆うように短円筒容器状をしたローターヨーク２５２が取り付けられている。このローターヨーク２５２は強磁性体で構成されており、円形をした底壁の中心において当該回転軸２１１にスプライン嵌合等によって回転方向に一体支持されている。当該ローターヨーク２５２の円周壁は前記コイル２４１の外周回りに配置されるとともに、この円周壁の内面には複数個、ここでは４つの円弧板状をしたマグネット２５１が周方向に所要のピッチ寸法で配列された状態で支持されている。これら４つのマグネット２５１は、前記各コイル２４１に対向する内径方向に向けられた面のＮ極とＳ極が周方向に交互に配列するように取り付けられている。
【００２７】
前記回路基板２７には前記コイル２４１に給電を行うための給電回路が構成されている。この給電回路は６つのコイル２４１に対して給電する３相信号（Ｕ，Ｖ，Ｗ）をシーケンス制御する。また、この給電回路にはシーケンス制御のタイミングを得るために、前記ローターヨーク２５２の回転を検出するための複数個、ここでは３つのホール素子２７２が搭載されている。これらのホール素子２７２はホール効果を利用して前記マグネット２５１の磁極方向の変化を検出することによりマグネット２５１を支持しているローターヨーク２５２の回転方向や回転速度を検出する。ホール素子自体は公知であるので、ここではその詳細な説明は省略する。
【００２８】
このモーターにおいて、６つのコイルに３相信号を給電して、各コイル２４１により発生するＮ磁界あるいはＳ磁界を周方向に経時的に変化させることにより、各マグネット２５１に接線方向の駆動力を生じさせ、マグネット２５１と一体のローターヨーク２５２を一体的に回転させる。このローターヨーク２５２の回転により、取り付けられている回転軸２１１が軸転され、アウターローター型のモーターとして機能される。
【００２９】
前記した回転リフレクタ２２のボス２２２は、この回転軸２１１の一方の端部、ここではローターヨーク２５２が取り付けられている側の端部に嵌合されて、回転軸２１１に一体的に取り付けられている。これにより、モーター２１が駆動されて回転軸２１１が回転すれば、回転リフレクタ２２が回転され、これに伴うブレード２２１の回転により前記したようにＬＥＤ１１の光を反射してスキャンによる照明を実行することになる。
【００３０】
このように実施形態ではモーター２１の回転軸の一方の端部に回転リフレクタ２２とローターヨーク２５２をそれぞれ取り付けた構成とすることにより、リフレクタ部２の組立に際しては、回転軸２１１を軸支させたケーシング２３に回路基板２７を搭載してステータ２４を構成した後に、ローターヨーク２５２を回転軸２１１に取り付け、さらに当該回転軸２１１に回転リフレクタ２２を取り付ける作業をケーシング２３の一方側から行うことができ、モーター２１と回転リフレクタ２２の組立作業を容易に行うことができる。また、ヒートシンク１２にリフレクタ部２を組み付けた後のモーター２１や回転リフレクタ２２のメインテナンスも容易になる。
【００３１】
前記回転リフレクタ２２では、前記したように２枚のブレード２２１はボス２２２と共に樹脂成形により一体形成されており、またこれらブレード２２１の表面には光反射のためのアルミニウム膜を蒸着、メッキ等により成膜した構成である。そのため、樹脂成形時や蒸着時等の製造バラツキにより、ブレード２２１のサイズや厚み等の誤差が生じ、点対称をした２枚のブレード２２１の重量バランスに不均衡が生じる。すなわち、ボス２２２を中心にした回転リフレクタ２２の円周方向及び径方向の重量バランスが不均衡になる。
【００３２】
この重量バランスの不均衡が存在していると、回転リフレクタ２２がモーター２１により回転駆動されたときに回転リフレクタ２２における回転モーメントにばらつきが生じる。その結果として回転リフレクタ２２に回転速度むらが生じ、あるいはブレード２２１の波打ち現象が生じ、これにより光束のスキャン速度のばらつきや、スキャンの直進性が低下し、照明品質の低下を生じる。
【００３３】
この実施形態１では、図５の（ａ）回転リフレクタ２２の表面図と、（ｂ）要部斜視図に示すように、重量バランス調整手段４としてＥリング４１を利用して回転リフレクタ２２の重量バランスを調整している。すなわち、回転リフレクタ２２の回転中心となるボス２２２にＥリング４１を取り付けている。ここでは、回転軸２１１の一方の端部にローターヨーク２５２と回転リフレクタ２２を取り付けるためのスプライン２１２が形成されており、このスプライン２１２を利用してＥリング４１を係合している。これにより、Ｅリング４１は回転軸２１１を介して間接的にボス２２２に取り付けられる。このＥリング４１は回転軸２１１からの回転リフレクタ２２２の抜け止め用として利用することもできる。
【００３４】
このＥリング４１を回転リフレクタ２２に対して一方向、すなわち回転リフレクタ２２に生じている周方向あるいは径方向における低重量側から回転軸２１１に対して径方向に係合させることにより、回転リフレクタ２２は当該Ｅリング４１が係合された側の重量が増加されることになる。したがって、回転軸２１１に対するＥリング４１の周方向の係合位置を変化して回転リフレクタ２２の周方向及び径方向の重量バランスを調整し、回転リフレクタ２２の重量バランスの均衡を図ることができる。これにより、回転リフレクタ２２がモーター２１により回転駆動されたときの回転速度が均一なものとなり、またブレード２２１の波打ち現象が解消され、光束のスキャン速度の均一化とスキャンの直進性が確保でき、照明品質が改善される。
【００３５】
実施形態１ではＥリングを用いたが、Ｃリングを用いて重量バランスを調整することができる。例えば、Ｃリングを接着剤や両面テープ等の接着テープにより回転リフレクタのボスに接着するように構成し、Ｃリングの接着位置を調整することにより重量バランスを調整するようにしてもよい。
【００３６】
実施形態１のＥリングやＣリングは代表例として説明したものであり、回転軸あるいはボスに取り付けたときに円周方向及び径方向の重量バランスを調整することができる非点対称あるいは非対称なリング形状の部材であれば採用できる。
【００３７】
図６は実施形態２の、（ａ）回転リフレクタ２２の表面図と、（ｂ）要部斜視図である。実施形態２は重量バランス調整手段４として、回転リフレクタ２２のブレード２２１の円周縁に沿って複数個、好ましくは多数個の凹部４２を形成している。ここでは、ブレード２２１の表面に自身の厚みよりも浅い深さを有する三角形ないし扇型をした凹部４２を円周方向に配列形成している。この凹部４２はブレード２２１の裏面に設けてもよい。あるいは表面と裏面の両面に設けてもよい。また、凹部４２の形状は円形、矩形等の任意形状としてもよい。
【００３８】
回転リフレクタ２２の重量バランスを調整する際には、図６（ｂ）のように、回転リフレクタ２２の低重量側に位置している１つあるいは複数の凹部４２にクリーム状あるいは液状の樹脂４３をノズルＮ等を用いてポッティング等により注入し、かつ当該樹脂４３を硬化させてブレード２２１に一体化させる。これにより、回転リフレクタ２２は樹脂４３が注入された側の重量が増加されることになり回転リフレクタ２２の周方向及び径方向の重量バランスを調整することができる。
【００３９】
この実施形態２では、樹脂４３を注入する凹部４２のサイズや個数、さらに位置を適宜に設定することにより、微細な重量バランスの調整が可能となる。また、異なる比重の樹脂を注入することによっても微細な重量バランスの調整が可能になる。実施形態２では、ブレード２２１の円周縁において、すなわち径寸法が大きい位置において重量バランスの調整を行うので、少量の樹脂４３でも重量バランスの調整幅を大きくでき、バランス調整の有効性が高められる。
【００４０】
図７は実施形態３の、（ａ）回転リフレクタ２２の裏面図と、（ｂ）要部斜視図である。実施形態３は重量バランス調整手段４として、回転リフレクタ２２のブレード２２１の裏面に、円周縁に沿って複数個の凸部、ここでは多数個の突片状の凸片４４をブレードに一体成形している。この凸片４４は外力を加えたときに容易に折損し、あるいはニッパー等の工具により容易に切断してブレードから削除することができるように、例えば一部に溝４４１を形成している。
【００４１】
回転リフレクタ２２の重量バランスを調整する際には、図７（ｂ）に破線で示すように、回転リフレクタ２２の高重量側に位置している１つあるいは複数の凸片４４を選択し、これを折損あるいは切断する。これにより、回転リフレクタ２２は折損、切断された凸片４４が存在していた側の重量が減少されることになり回転リフレクタ２２の周方向及び径方向の重量バランスを調整することができる。
【００４２】
実施形態３において凸片４４を折損しあるいは切断する際には、当該凸片４４の一部、例えば突出寸法の半分あるいは数分の一の部分を削除するようにしてもよい。これにより微細な重量バランスの調整が可能になる。また、実施形態３における凸部は、前記した凸片４４に代えてブレード２２１に一体形成したピン部材であってもよい。
【００４３】
図８（ａ）は実施形態４の断面図である。実施形態４は回転リフレクタ２２を金属板の打ち抜き、折り曲げ加工して形成した場合に有効であり、重量バランス調整手段として、回転リフレクタ２２のブレード２２１の裏面に、円周縁に沿って複数個、好ましくは多数個の舌片状をした凸片４５を一体に形成している。この凸片４５の形状は図７（ａ）にしめした実施形態３の凸部４４と同様であり、ブレード２２１の裏面に対してほぼ垂直に立設する状態に形成されており、外力を加えたときに容易に折り曲げることができるように構成している。
【００４４】
回転リフレクタの重量バランスを調整する際には、図８（ｂ）の断面図に示すように、回転リフレクタ２２の高重量側（同図では右側）に位置している１つあるいは複数の凸片４５（４５ａ）を内径側に折り曲げる。また、回転リフレクタの低重量側（同図では左側）に位置している１つあるいは複数の凸片４５（４５ｂ）を外径側に折り曲げる。これにより、外径側に折り曲げた凸片４５ｂが存在していた側のモーメント力が増大し、内径側に折り曲げた凸片４５ａが存在していた側のモーメント力が減少することになり、回転リフレクタ２２における重量バランスを調整することができる。
【００４５】
実施形態４の回転リフレクタは必ずしも金属材で形成されたものでなくてもよく、ブレードに一体に設けた凸部を曲げ加工することが可能であれば樹脂材で形成されてもよい。
【００４６】
本発明にかかる回転リフレクタは実施形態に記載した構成に限定されるものではなく、ブレードの形状や枚数等、異なる形態の構成であってもよい。例えば、ブレードは１枚でもよく、あるいは３枚以上であってもよい。また、回転リフレクタを駆動するモーターの構成も実施形態の構成に限定されるものではなく、コイルやマグネットの個数及び駆動する相信号も異なる形態のものであってもよい。同様にランプユニットを構成している光源や投影レンズの形態も異なる構成であってもよい。
【００４７】
本発明において、回転リフレクタを回転するモーターは、実施形態に記載したブラシレスモーターに限られるものではない。例えば、ブラシを有するＤＣモーターにおいても、回転軸に回転リフレクタを取り付けた場合には本発明を適用することができる。また、実施形態では、モーターの回転軸を軸支しているボールベアリングに対し、当該回転軸の一方の端部にモーターのローターと回転リフレクタを取り付けた例について説明したが、回転軸の他方の端部にローターが取り付けたられた構成のリフレクタ部であっても本発明を同様に適用することができる。
【符号の説明】
【００４８】
ＬＵ  ランプユニット
１  光源部
２  リフレクタ部
３  投影レンズ部
４  重量バランス調整手段
１１  ＬＥＤ（光源）
１２  ヒートシンク
１３  放熱フィン
２１  モーター
２２  回転リフレクタ
２３  ケーシング
２４  ステータ
２５  ローター
２６  ボールベアリング
２７  回路基板
２１１  回転軸
２２１  ブレード
２２２  ボス
４１  Ｅリング
４２  凹部
４３  樹脂
４４  凸部（凸片）
４５  凸片
【図１】
2019003909.tif 000003
【図２】
2019003909.tif 000004
【図３】
2019003909.tif 000005
【図４】
2019003909.tif 000006
【図５】
2019003909.tif 000007
【図６】
2019003909.tif 000008
【図７】
2019003909.tif 000009
【図８】
2019003909.tif 000010